(57)【特許請求の範囲】
【請求項１】
容器本体の開口部を封止する蓋材であって、
前記蓋材は、容器本体の外方から順に積層された上部積層体と下部積層体とを含み、
前記上部積層体は、最外層がポリエチレンテレフタレート層であり、最内層がアンカーコート層であり、
前記下部積層体は、前記上部積層体に面する最外層がポリオレフィン層であり、中間層がアルミニウム層であり、最内層がシーラント層であり、
前記上部積層体と前記下部積層体とは、所定領域を除いて接着され、
平面視において、前記上部積層体の前記所定領域に重なる領域内に、ハーフカットにより区画された剥離領域を有する、蓋材。
【請求項２】
前記ポリオレフィン層が低密度ポリエチレン層である、請求項１に記載の蓋材。
【請求項３】
前記上部積層体の前記ポリエチレンテレフタレート層と前記アンカーコート層との間に、ポリプロピレン系樹脂を含むインキを用いたインキ層をさらに含む、請求項１または２に記載の蓋材。
【請求項４】
開口が設けられている容器本体と、
前記容器本体の前記開口を覆う請求項１から３のいずれかに記載の蓋材とを備える、包装容器。
【発明の詳細な説明】
【技術分野】
【０００１】
本発明は、蓋材及び包装容器に関するものである。
【背景技術】
【０００２】
ジュースやコーヒーといった飲料を充填し、開口部をシート状の蓋材により密封したプラスチック製の包装容器が知られている。このような包装容器では、蓋材にストローを突き刺すことにより充填された飲料を飲むことができる。
【０００３】
蓋材の材料には、特許文献１に開示されているように、外方側から順に、ポリエチレンテレフタレート（以下、ＰＥＴという）等の延伸プラスチックフィルム、アルミニウム箔及びシーラントを積層してガスバリア性を付与した積層体が用いられる。
【０００４】
また、このような蓋材を備えた包装容器の中には、蓋材が流通過程において破損したり剥離したりすることを防止するために、特許文献２に開示されているように、蓋材に加えて樹脂製のオーバーキャップを設けた包装容器が知られている。
【先行技術文献】
【特許文献】
【０００５】
【特許文献１】特開２００８−０８０７６９号公報
【特許文献２】特開２０１２−００１２１８号公報
【発明の概要】
【発明が解決しようとする課題】
【０００６】
特許文献１に開示される蓋材は、使用者がストロー等を突き刺した際に、商品の流通過程で蓋材の表面に付着したほこり等の異物が、開けられた孔を通して包装容器内部に入り込むおそれがあった。また、表面にインキ層を形成して商品情報等を印刷した蓋材を用いた場合は、蓋材にストロー等を突き刺した際に、インキ層がストローにより削り取られて包装容器内部に入り込むおそれがあった。さらに、ＰＥＴ層の突き刺し強度の高さから、蓋材へストローが刺さり難いという課題もあった。
【０００７】
また、特許文献２に開示されるオーバーキャップを用いることにより、蓋材表面への異物付着を防ぐことができるものの、包装容器が嵩だかになることで、流通過程での作業性を妨げたり、輸送効率が低下して環境負荷を高めたりするおそれがあった。
【０００８】
本発明はこのような課題に鑑みてなされたものであり、包装容器の寸法を変えることなく、ストローを突き刺した際に異物が内部へ入り込むことを防止して衛生性を高めた蓋材及びこれを用いた包装容器を提供することを目的とする。
【課題を解決するための手段】
【０００９】
上記課題を解決するための本発明の一局面は、容器本体の開口部を封止する蓋材であって、蓋材は、容器本体の外方から順に積層された上部積層体と下部積層体とを含み、上部積層体は、最外層がポリエチレンテレフタレート層であり、最内層がアンカーコート層であり、下部積層体は、上部積層体に面する最外層がポリオレフィン層であり、中間層がアルミニウム層であり、最内層がシーラント層であり、上部積層体と下部積層体とは、所定領域を除いて接着され、平面視において、上部積層体の所定領域に重なる領域内に、ハーフカットにより区画された剥離領域を有する、蓋材である。
【００１０】
また、本発明の他の局面は、開口が設けられている容器本体と、容器本体の開口を覆う上記の蓋材とを備える、包装容器である。
【発明の効果】
【００１１】
本発明によれば、包装容器の寸法を変えることなく、ストローを突き刺した際に異物が内部へ入り込むことを防止して衛生性を高めた蓋材及びこれを用いた包装容器を提供することができる。
【図面の簡単な説明】
【００１２】
【図１】本発明の一実施形態に係る蓋材を用いた包装容器の正面図及び平面図
【図２】本発明の一実施形態に係る蓋材の積層構造を示す断面図
【図３】本発明の一実施形態に係る蓋材を用いた包装容器の使用状態を示す斜視図
【発明を実施するための形態】
【００１３】
（包装容器）
図１に、本発明の実施形態に係る蓋材１０１を備えた包装容器１００の正面図及び平面図を示す。なお、以下の説明では、便宜上、包装容器１００を正立させた際の上下方向を上下と定める。
【００１４】
包装容器１００は、開口が設けられている容器本体１０２と、容器本体の開口を覆い封止する蓋材１０１とを含む。容器本体１０２は、ポリプロピレン等の樹脂により形成され、下方に向かって緩やかに外径が減少する円筒状の側周壁を有し下端部に底部を備える。上端には開口部を備え、上端縁からは外周方向に向かって伸びる鍔状のフランジ部が形成されている。容器本体１０２のフランジ部には、円形の蓋材１０１がヒートシールによって接着され、容器本体１０２の開口部を封止する。
【００１５】
（蓋材）
図２に、蓋材１０１に用いる積層体の積層構造を表す断面図を示す。蓋材１０１は、包装容器１００の外方から順に、上部積層体２０１と下部積層体２０２とが積層されている。上部積層体２０１は、包装容器１００の外方から順に、ポリエチレンテレフタレート層２０３（以下、ＰＥＴ層２０３という）、インキ層２０４、第１のアンカーコート層２０５が積層されている。下部積層体２０２は、包装容器１００の外方、すなわち、上部積層体２０１に面する層から順に、第１のポリオレフィン層２０６、アルミニウム層２０７、第２のアンカーコート層２０８、第２のポリオレフィン層２０９、シーラント層２１０が積層されている。
【００１６】
図１の平面図及び図２に示すように、第１のアンカーコート層２０５は、所定の範囲にわたってアンカーコートが塗布されていない非接着領域２１１を有する。このため、上部積層体２０１と下部積層体２０２とは、非接着領域２１１においては接着されておらず、非接着領域２１１を除いた領域で接着をされている。
【００１７】
蓋材１０１には、上部積層体２０１のＰＥＴ層２０３及びインキ層２０４を貫通する傷加工部からなるハーフカット２１２により区画された剥離領域２１３が形成されている。図１の平面図に示すように、剥離領域２１３は、平面視において、上部積層体２０１の非接着領域２１１に重なる領域内に形成される。ハーフカット２１２は、レーザーカットや刃物等の周知の方法により形成することができる。
【００１８】
ハーフカット２１２は、上部積層体２０１のＰＥＴ層２０３及びインキ層２０４のみを貫通しており、バリア性を備える下部積層体２０２のアルミニウム層２０７には形成されていない。このため、蓋材１０１は従来と変わらないバリア性能を有することができる。
【００１９】
インキ層２０４は第１のポリオレフィン層２０６と面して形成されるため、インキ層２０４には、ポリオレフィンと相溶し難いポリプロピレン系樹脂を含むインキを用いることが好ましい。
【００２０】
第１のポリオレフィン層２０６及び第２のポリオレフィン層２０９には、低密度ポリエチレン樹脂（ＬＤＰＥ）や直鎖状低密度ポリエチレン樹脂（ＬＬＤＰＥ）等を用いることができる。特に、非接着領域２１１において、インキ層２０４と接する可能性のある第１のポリオレフィン層２０６には、ＬＤＰＥを用いることが好ましい。ＬＤＰＥは、第１のアンカーコート層２０５に用いられるアンカーコート剤とは親和性が高く、インキ層２０４に用いられるインキとは親和性が低い。このため、ポリオレフィン層２０６にＬＤＰＥを用いることで、上部積層体２０１と下部積層体２０２とを高い強度で接着しながら、剥離領域２１３については、容易に剥離することができるように積層できるためである。
【００２１】
シーラント層２１０には、高密度ポリエチレン樹脂（ＨＤＰＥ）、中密度ポリエチレン樹脂（ＭＤＰＥ）、ＬＤＰＥ、ＬＬＤＰＥ等が使用できる。
【００２２】
第１のアンカーコート層２０５及び第２のアンカーコート層２０８の形成は、ストライプ（エンドレス）コート等の周知の方法を用いることができる。非接着領域２１１へのハーフカット２１２の形成に見当精度を要する場合には、アンカーコート剤に着色をしてもよい。
【００２３】
（使用方法）
図３に、包装容器１００の使用状態を示す斜視図を示す。包装容器１００の使用者は、初めに、蓋材１０１の剥離領域２１３をハーフカット２１２に沿って剥離して、下部積層体２０２を露出させる（図３の上図）。その後、露出した下部積層体２０２にストロー２１４を突き刺すことで、容器本体１０２に収納された内容物の取出しを可能にする（図３の下図）。
【００２４】
このように、包装容器１００の非接着領域２１１上には、使用の直前まで剥離領域２１３が積層されているため、剥離領域２１３を剥離した直後の非接着領域２１１は清潔である。したがって、包装容器１００によれば、ストローを突き刺した際に、包装容器１００の内部に蓋材１０１の表面に付着した異物が入り込むことを防止でき、衛生性を高めることができる。
【００２５】
また、剥離領域２１３とともにインキ層２０４も剥離をすることができるため、ストロー２１５により削り取られたインキが包装容器１００の内部に入り込むことを防止できる。
【００２６】
さらに、剥離領域２１３とともに突き刺し強度の高いＰＥＴ層２０３を剥離することができるため、蓋材１００に容易にストローを突き刺すことが可能となる。
【００２７】
（変形例）
剥離領域２１３及び非接着領域２１１の形状及び形成位置は、図１に示す形状、位置に限定されず、円形、矩形等任意の形状を蓋材１０１表面の任意の位置に形成できる。また、粘着ラベルを、剥離領域２１３を含む蓋材１０１の表面に貼り付けて、使用者が粘着ラベルを剥がすことにより剥離領域２１３を剥離できるようにしてもよい。
【００２８】
蓋材１０１の積層構造は、上部積層体２０１の最外層がポリエチレンテレフタレート層２０３であり、最内層がアンカーコート層２０５であり、下部積層体２０２の上部積層体に面する最外層がポリオレフィン層２０６であり、中間層がアルミニウム層２０７であり、最内層がシーラント層２１０であれば、必要な機能に応じて任意の材質の層を追加してもよい。
【実施例】
【００２９】
実施例及び比較例に係る蓋材及びこれを備える包装容器を製造して、ストローの突き刺し易さについて官能評価を行った。
【００３０】
（実施例）
容器本体の外方から順に、ＰＥＴ（１２μｍ）／インキ／アンカーコート／ＬＤＰＥ（１５μｍ）／アルミニウム（７μｍ）／アンカーコート／ＬＤＰＥ（１５μｍ）／多層ポリプロピレン（３０μｍ）を積層した積層体を用いて蓋材１０１を作製した。インキは、東洋インキ製の「ファインＰＰＳ  Ｒ６４１白（２±０．５ｇ／ｍ２（ｄｒｙ））」を使用した。アンカーコートは、日本曹達製の「Ｔ−１２５／Ｔ−１６０（１±０．５ｇ／ｍ２（ｄｒｙ））」を使用した。
【００３１】
（比較例）
容器本体の外方から順に、ＰＥＴ（９μｍ）／インキ／接着剤（ドライラミネート）／アルミニウム（７μｍ）／接着剤（ドライラミネート）／多層ポリプロピレン（３０μｍ）を積層した積層体を用いて蓋材を作製した。インキは、実施例と同じ東洋インキ製の「ファインＰＰＳ  Ｒ６４１白（２±０．５ｇ／ｍ２（ｄｒｙ））」を使用した。比較例に係る蓋材には、剥離領域２１３は形成しなかった。
【００３２】
作製した蓋材をポリプロピレン製の容器本体の開口部にヒートシールにより接着することにより包装容器を製造した。評価には、先端が長さ方向に対して４５°の角度で先細る直径５ｍｍのストローを用いた。
【００３３】
（評価方法）
５人の被験者が、実施例及び比較例に係る包装容器の蓋材へのストローの突き刺し易さについて５段階（１が最も突き刺し難く、５が最も突き刺しやすい）で官能評価を行った。実施例に係る蓋材は、ストローを突き刺す直前に剥離領域２１３を剥離して、露出した下部積層体２０２にストローを突き刺した。また、比較例に係る蓋材は、蓋材表面のＰＥＴ層にストローを突き刺した。評価結果を表１に示す。
【００３４】
【表１】
0006696289.tif 000002
【００３５】
表１に示すように、実施例に係る蓋材を使用した包装容器は、あらかじめＰＥＴ層を剥離しているため比較例に係る蓋材と比較して、突き刺しやすいことが確認できた。
【００３６】
以上、説明したように、本発明によれば、ストローを突き刺した際に、包装容器１００の内部に蓋材１０１の表面に付着した異物、及び、ストローにより削り取られたインキが入り込むことを防止でき、衛生性を高めることができる。また、蓋材１００に容易にストローを突き刺すことが可能となる。
【産業上の利用可能性】
【００３７】
本発明は、飲料を収納する包装容器及びその蓋材に有用である。
【符号の説明】
【００３８】
１００    包装容器
１０１    蓋材
１０２    容器本体
２０１    上部積層体
２０２    下部積層体
２０３    ポリエチレンテレフタレート層（ＰＥＴ層）
２０４    インキ層
２０５    第１のアンカーコート層
２０６    第１のポリオレフィン層
２０７    アルミニウム層
２０８    第２のアンカーコート層
２０９    第２のポリオレフィン層
２１０    シーラント層
２１１    非接着領域
２１２    ハーフカット
２１３    剥離領域
２１４    ストロー
【図１】
0006696289.tif 000003
【図２】
0006696289.tif 000004
【図３】
0006696289.tif 000005